(57)【要約】【課題】単純な構造のペットボトル減容装置を提供する。【解決手段】ペットボトル減容装置１００は、ペットボトルを内部に収納可能であり、耐熱性材料からなる本体１１０と、本体に対して着脱自在に取り付け可能であり、耐熱性材料からなる蓋１２０と、本体の内部において上下動可能な大きさの加圧板１３０と、一端が蓋に、他端が加圧板に取り付けられ、加圧板を本体の底に向かって付勢するバネ１４０と、からなる。蓋１２０には開口部１２４が、本体の側壁には開口部１１２がそれぞれ形成されている。【選択図】図１
0003138267.tif 000002
【実用新案登録請求の範囲】
【請求項１】
開口面を有しており、減容対象物を内部に収納可能であり、耐熱性材料からなる本体と、
前記本体に対して前記開口面において着脱自在に取り付け可能であり、耐熱性材料からなる蓋と、
前記本体の内部において上下動可能な大きさの加圧板と、
一端が前記蓋に、他端が前記加圧板に取り付けられ、前記加圧板を前記本体の底に向かって付勢する付勢部材と、
からなる、減容対象物を減容する装置。
【請求項２】
前記蓋には少なくとも一つの開口部が形成され、
前記本体の側壁には少なくとも一つの開口部が形成されていることを特徴とする請求項１に記載の装置。
【考案の詳細な説明】
【技術分野】
【０００１】
本考案は、いわゆるペットボトルを減容する装置に関する。
【背景技術】
【０００２】
いわゆるペットボトルまたはこれに類する容器類はそのまま廃棄すると、嵩張るため、潰して廃棄することが求められている。
【考案の開示】
【考案が解決しようとする課題】
【０００３】
しかしながら、人力でペットボトルを潰そうとしても限界があり、ペットボトルを所望の大きさまで潰すことはほぼ不可能である。
【０００４】
このため、これまでに、ペットボトルを潰すための種々の装置が提案されているが、いずれも構造が複雑であるか、あるいは、操作方法が複雑であるため、広く普及していないのが現状である。
【０００５】
本考案は以上のような問題点に鑑みてなされたものであり、単純な構造を有し、操作方法も容易な、ペットボトルを減容する装置を提供することを目的とする。
【課題を解決するための手段】
【０００６】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【０００７】
上記の目的を達成するため、本考案は、開口面を有しており、減容対象物を内部に収納可能であり、耐熱性材料からなる本体（１１０）と、前記本体（１１０）に対して前記開口面において着脱自在に取り付け可能であり、耐熱性材料からなる蓋（１２０）と、前記本体（１１０）の内部において上下動可能な大きさの加圧板（１３０）と、一端が前記蓋（１２０）に、他端が前記加圧板（１３０）に取り付けられ、前記加圧板（１３０）を前記本体（１１０）の底に向かって付勢する付勢部材（１４０）と、からなる、減容対象物を減容する装置（１００）提供する。
【０００８】
前記蓋（１２０）には少なくとも一つの開口部（１２４）が形成され、前記本体（１１０）の側壁には少なくとも一つの開口部（１１２）が形成されていることが好ましい。
【考案の効果】
【０００９】
本考案に係る減容対象物を減容する装置は、従来の装置と比較して、単純な構造を有しており、製造が容易である。
【００１０】
さらに、本考案に係る減容対象物を減容する装置を用いることにより、容易な操作方法でペットボトルを減容することが可能である。
【考案を実施するための最良の形態】
【００１１】
図１は、本考案の一実施形態に係るペットボトル減容装置の縦断面図である。
【００１２】
本実施形態に係るペットボトル減容装置１００は、開口面（図１において、上面が開口している）を有しており、減容対象物であるペットボトルを内部に収納可能であり、耐熱性材料からなる本体１１０と、本体１１０に対して本体１１０の開口面を介して着脱自在に取り付け可能であり、耐熱性材料からなる蓋１２０と、本体１１０の内部において上下動可能な大きさを有する加圧板１３０と、一端が蓋に、他端が加圧板１３０に取り付けられ、加圧板１３０を本体１１０の底に向かって付勢する付勢部材としてのバネ１４０と、から構成されている。
【００１３】
本体１１０は、ペットボトルの収納性を考慮して、矩形形状（例えば、長方形）の横断面を有している。
【００１４】
さらに、後述するように、本体１１０は加熱されるため、本体は耐熱性を有する素材でつくられている。例えば、本体１１０は耐熱性を有する樹脂（例えば、ポリメチルペンテン）でつくられる。
【００１５】
同様に、蓋１２０も本体１１０とともに加熱されるため、蓋１２０は、本体１１０と同様に、例えば、耐熱性を有する樹脂（例えば、ポリメチルペンテン）でつくられる。
【００１６】
本体１１０の側壁には、相互に対向する位置において、二つの開口部１１２が形成されている。
【００１７】
さらに、本体１１０の側壁には、相互に対向する位置において、二つの段差部１１３が形成されている。後述するように、この段差部１１３に手を掛けることにより、本体１１０を傾けることができる。
【００１８】
本体１１０の側壁には、相互に対向する位置において、二つの突起１１１が形成されている。これらの二つの突起１１１の各々は二つの開口部１１２の各々の上方に位置している。
【００１９】
本体１１０の二つの突起１１１に対応して、蓋１２０には、突起１１１が嵌合可能な２つの凹部１２１が形成されている。突起１１１を凹部１２１に嵌合させることにより、本体１１０と蓋１２０とは相互に結合され、突起１１１を凹部１２１から外すことにより、本体１１０と蓋１２０とは相互に分離される。
【００２０】
蓋１２０には、蓋１２０の本体に対して回動可能な回動部１２２が形成されており、２つの凹部１２１の一方はこの回動部１２２に形成されている。回動部１２２を回動中心点１２３を中心として回動させることにより、凹部１２１を突起１１１に係合させ、あるいは、凹部１２１を突起１１１から外すことができる。
【００２１】
蓋１２０を本体１１０に取り付ける場合には、先ず、他方の凹部１２１（図１の左側の凹部１２１）を突起１１１に係合させ、次いで、回動部１２２を回動中心点１２３を中心として時計方向に回動させ、一方の凹部１２１（図１の右側の凹部１２１）を突起１１１に係合させる。
【００２２】
蓋１２０を本体１１０から外す場合には、先ず、回動部１２２を回動中心点１２３を中心として反時計方向に回動させ、一方の凹部１２１（図１の右側の凹部１２１）を突起１１１から外し、次いで、他方の凹部１２１（図１の左側の凹部１２１）を突起１１１から外す。
【００２３】
蓋１２０の中央には、蓋１２０を本体１１０に取り付けたときに、本体１１０の内部に通じるような開口部１２４が形成されている。
【００２４】
加圧板１３０は剛性の素材（例えば、ステンレスまたはポリメチルペンテンその他の剛性樹脂）でつくられている。
【００２５】
後述するように、加圧板１３０は本体１１０の内部を上下動する。本実施形態における本体１１０は矩形形状の横断面を有しているため、加圧板１３０は、本体１１０の横断面と相似であり、かつ、本体１１０の横断面よりも僅かに小さい大きさの横断面を有している。
【００２６】
以上のような構造を有する本実施形態に係るペットボトル減容装置１００の使用方法を以下に説明する。
【００２７】
先ず、蓋１２０を本体１１０から取り外しておく。
【００２８】
次いで、本体１１０の底に１個または複数個のペットボトルを置く。
【００２９】
次いで、加圧板１３０の下方にペットボトルが位置するように、すなわち、ペットボトルが加圧板１３０により加圧されるように、蓋１２０を本体１１０に取り付ける。
【００３０】
この状態においては、バネ１４０の弾性力により、ペットボトルは加圧板１３０を介して本体１１０の底面に押し付けられている。
【００３１】
次いで、蓋１２０の開口部１２４を介して本体１１０の内部に適量の水（または、湯）を入れる。例えば、本体１１０の内部に収納されているペットボトルの一部が水に浸される程度の量の水を入れる。
【００３２】
この後、ペットボトル減容装置１００を加熱する。例えば、ペットボトル減容装置１００を電子レンジの中に入れ、加熱する。
【００３３】
ペットボトル減容装置１００の加熱に伴い、本体１１０の内部に入れられた水も加熱されるため、本体１１０の内部に収納されたペットボトルがほぼ一様に加熱される。
【００３４】
ペットボトルが加熱されると、ペットボトルを構成する分子の分子間結合力が弱まるうえに、ペットボトルは加圧板１３０を介してバネ１４０により押圧されているため、加圧板１３０と本体１１０の底面との間において、ペットボトルはほぼ平面状に潰れる。
【００３５】
この後、ペットボトル減容装置１００の加熱を停止する。
【００３６】
次いで、段差部１１３に手を掛けて本体１１０を傾け、本体１１０の側壁に形成された開口部１１２を介して、本体１１０の内部の水（この段階では熱湯になっている）を本体１１０の外部に排水する。
【００３７】
次いで、蓋１２０を本体１１０から取り外す。
【００３８】
本体１１０の底面から、ほぼ平面状に潰れたペットボトルを取り出す。
【００３９】
以上のように、本実施形態に係るペットボトル減容装置１００によれば、単純な構造を有する装置を用いて、容易な操作方法により、ペットボトルを減容することが可能である。
【００４０】
本実施形態に係るペットボトル減容装置１００は以上のような構造に限定されるものではなく、種々の改変が可能である。
【００４１】
例えば、本実施形態に係るペットボトル減容装置１００においては、本体１１０は矩形形状の横断面を有しているものとして形成されているが、本体１１０の横断面形状は矩形形状には限定されない。例えば、円形などの曲線を含む形状の横断面を有するものとして形成することも可能である。
【００４２】
本実施形態に係るペットボトル減容装置１００においては、蓋１２０には１個の開口部１２４が形成されているが、蓋１２０に形成される開口部１２４の数は１個には限定されない。必要に応じて、２個以上の開口部１２４を形成することが可能である。
【００４３】
同様に、本体１１０に形成される開口部１１２の数も２個には限定されない。必要に応じて、３個以上の開口部１１２を形成することが可能である。
【００４４】
本実施形態に係るペットボトル減容装置１００においては、付勢部材としてバネ１４０を使用しているが、付勢部材はバネ１４０には限定されない。例えば、バネ１４０に代えて、ダンパーを使用することも可能である。
【００４５】
また、蓋１２０に形成されている開口部１２４及び本体１１０に形成される開口部１１２は必ずしも必要ではなく、開口部１２４が形成されていない蓋１２０または開口部１１２が形成されていない本体１１０を用いることも可能である。
【図面の簡単な説明】
【００４６】
【図１】本考案の一実施形態に係るペットボトル減容装置の縦断面図である。
【符号の説明】
【００４７】
１００  本考案の一実施形態に係るペットボトル減容装置
１１０  本体
１１１  突起
１１２  開口部
１１３  段差部
１２０  蓋
１２１  凹部
１２２  回動部
１２３  回動中心点
１２４  開口部
１３０  加圧板
１４０  バネ
【図１】
0003138267.tif 000003